(57)【要約】本発明は、特に化粧品の塗布及び（又は）包装用途の器具に関する。本発明の器具は、支持体（２）に固定された繊維質、気泡質又は多孔質の要素（３）を有する。この要素は、少なくとも支持体の突出部分（１０）の材料によって支持体に連結され、かかる突出部分は、要素の細孔、気泡又は繊維相互間に侵入する。
2005503905.tif 000002
【特許請求の範囲】
【請求項１】
特に化粧品を塗布すると共に（或いは）包装するための器具であって、支持体に取り付けられた多孔質、気泡質又は繊維質要素を有する器具において、前記要素は、少なくとも支持体の突起（１０）の材料が前記要素の細孔、気泡又は繊維相互間に侵入することにより支持体に結合されていることを特徴とする器具。
【請求項２】
前記要素（３；１８；２１；７１；８５）は、開放し又は半開放した気泡を備えるフォームから成ることを特徴とする請求項１記載の器具。
【請求項３】
前記要素は、織布又は不織布（５４）から成ることを特徴とする請求項１記載の器具。
【請求項４】
前記要素は、フェルト又は焼結部品（２７）から成ることを特徴とする請求項１記載の器具。
【請求項５】
前記要素は、格子体（６２）から成ることを特徴とする請求項１記載の器具。
【請求項６】
支持体は、熱可塑性材料、特に、ＰＥ、ＰＡ、ＰＣＶ、ＰＳ、ＰＰ、ＳＡＭ、ＰＭＭＡ、アセタール樹脂から選択された材料から成ることを特徴とする請求項１〜５記載のうちいずれか一に記載の器具。
【請求項７】
支持体は、ＥＶＡ、可塑化ＰＶＣ、Hytrel（登録商標）、Pebax （登録商標）、ＳＩＳ、ＳＥＢＳ、Santoprene（登録商標）、Accryl（登録商標）から選択された熱可塑性エラストマーから成ることを特徴とする請求項６記載の器具。
【請求項８】
支持体の突起（１０）は、少なくとも一部が３角形、矩形、台形又は丸形である直断面を備えていることを特徴とする請求項１〜７のうちいずれか一に記載の器具。
【請求項９】
支持体の突起（１０）は、円形、又は非円形、連続又は不連続の環状リブの形態をなしていることを特徴とする請求項１〜８のうちいずれか一に記載の器具。
【請求項１０】
支持体は、少なくとも２つの突起（１０）、特に同心状の突起を有していることを特徴とする請求項１〜９のうちいずれか一に記載の器具。
【請求項１１】
前記要素（２１；２７；５４；６２；７１；８５）は、支持体に周囲が取り付けられていることを特徴とする請求項１〜１０のうちいずれか一に記載の器具。
【請求項１２】
前記要素（３）は、支持体の中央領域に取り付けられていることを特徴とする請求項１〜１１のうちいずれか一に記載の器具。
【請求項１３】
前記要素は、例えば、互いに直角である、互いに対し角度をなした、支持体の２つの部分（３０ａ，３０ｂ）を覆い、各部分は、少なくとも１つの突起（１０）を有していることを特徴とする請求項１〜１２のうちいずれか一に記載の器具。
【請求項１４】
前記要素は、アプリケータ部材として役立つよう構成されていることを特徴とする請求項１〜１３のうちいずれか一に記載の器具。
【請求項１５】
前記要素は、スクリーンとして役立つよう構成されていることを特徴とする請求項１〜１３のうちいずれか一に記載の器具。
【請求項１６】
前記要素は、フィルタとして役立つよう構成されていることを特徴とする請求項１〜１３のうちいずれか一に記載の器具。
【請求項１７】
前記要素は、アプリケータ先端部として役立つよう構成されていることを特徴とする請求項１〜１３のうちいずれか一に記載の器具。
【請求項１８】
前記要素（７１）は、ワイパとして役立つよう構成されていることを特徴とする請求項１〜１３のうちいずれか一に記載の器具。
【請求項１９】
前記要素（８５）は、フローリデューサとして役立つよう構成されていることを特徴とする請求項１〜１３のうちいずれか一に記載の器具。
【請求項２０】
支持体は、少なくとも１つの密封リップ（７）を有していることを特徴とする請求項１４記載の器具。
【請求項２１】
支持体は、取っ手部材（１６）として役立つよう構成されていることを特徴とする請求項１４記載の器具。
【請求項２２】
物質を前記要素に供給するダクト（２８）を有していることを特徴とする請求項１４又は１７記載の器具。
【請求項２３】
突起の材料は、突起が連結されている支持体の部分の材料とは異なることを特徴とする請求項１〜２２のうちいずれか一に記載の器具。
【請求項２４】
多孔質、気泡質又は繊維質要素を、物質、特に化粧品の塗布及び（又は）包装器具の支持体に取り付ける方法であって、少なくとも１つの突起（１０）を有する支持体に関し、前記突起の材料の少なくとも一部が溶融するようにし、前記材料が前記要素の細孔、気泡又は繊維相互間に侵入するようにする工程を有していることを特徴とする方法。
【請求項２５】
突起の少なくとも一部が溶融した後、圧力を前記要素に及ぼして前記要素を支持体の突起に押し付けることを特徴とする請求項２４記載の方法。
【請求項２６】
突起をヒータツールにより加熱し、ツールを引っ込め、多孔質、気泡質又は繊維質要素を突起に接触させることを特徴とする請求項２４又は２５記載の方法。
【請求項２７】
８０℃〜６００℃の温度に上昇されたツールを用いることを特徴とする請求項２４〜２６のうちいずれか一に記載の方法。
【請求項２８】
ツールを突起の材料がヒータツールにくっ付かないことを確保するに充分に高い温度まで加熱することを特徴とする請求項２４〜２７のうちいずれか一に記載の方法。
【請求項２９】
温度は、突起の材料がポリプロピレン又はポリエチレンである場合、４００℃以上であることを特徴とする請求項２８記載の方法。
【発明の詳細な説明】
【技術分野】
【０００１】
本発明は、支持体に取り付けられた多孔質、気泡質又は繊維質要素を有する器具、特に、化粧品を塗布すると共に（或いは）包装する器具の分野に関する。
【背景技術】
【０００２】
特にフランス国特許第２，７７４，２９６号明細書から、フォームのブロックを接着剤又はヒートシールにより受け器に取り付けることが知られている。
【発明の開示】
【発明が解決しようとする課題】
【０００３】
支持体への多孔質、気泡質又は繊維質要素の取り付けを改良することが要望されている。
【課題を解決するための手段】
【０００４】
かくして、本発明は、その特徴のうちの第１として、多孔質、気泡質又は繊維質要素を支持体に取り付ける方法であって、少なくとも１つの突起を有する支持体に関し、突起の材料の少なくとも一部が溶融するようにし、上記材料が上記要素の細孔、気泡又は繊維相互間に侵入するようにする工程を有していることを特徴とする方法を提供する。
【０００５】
支持体に取り付けられるべき要素の細孔、気泡又は繊維相互間内への支持体材料の繋留は、冷却後、機械的強度を補強するのに役立つ。
加うるに、要素を例えば接着剤を用いないで支持体に取り付けることができるので製造を単純化できる。
フォームに加工を施すと、例えば、１以上の殺菌性化合物を組み込むと、接着剤によっては取り付けない場合、接着剤とフォームに含有された化合物との適合性の問題が発生する恐れを回避するのに役立つ場合がある。
一例を挙げると、要素は、開放し又は半開放した気泡を備えるフォーム、織布、不織布、焼結部品、フェルト、格子体又はこれら材料の任意の組み合わせから選択されるものであるのがよい。
【０００６】
突起の材料を遠くから又は接触により任意の手段で加熱するのがよく、取り付けられる要素は、任意的にこれと接触する。エネルギを、例えば超音波、誘導加熱、対流、伝導又は放射により供給するのがよい。
支持体の突起は、熱可塑性材料、例えばポリエチレン（ＰＥ）、ポリアミド（ＰＡ）、ポリ塩化ビニル（ＰＶＣ）、ポリスチレン（ＰＳ）、ＳＡＭ、ポリメチルメタクリレート（ＰＭＭＡ）、ポリプロピレン（ＰＰ）、アセタール樹脂から選択された熱可塑性材料、又は、熱可塑性エラストマー、例えば、エチレンビニレンアセテイト（ＥＶＡ）、可塑化ＰＶＣ、Hytrel（登録商標）、Pebax （登録商標）、スチレン−イソプレン−スチレン（ＳＩＳ）、スチレン−エチレン−ブチレン−スチレン（ＳＥＢＳ）、Santoprene（登録商標）、Accryl（登録商標）から作られたものであるのがよい。
【０００７】
突起の少なくとも部分的な溶融後、要素を支持体に押し付けるのがよい。
圧力を支持体の突起に当てた状態で要素に及ぼしてその材料が要素の細孔、気泡又は繊維相互間に侵入することができるようにするのがよい。
突起をヒータツールで加熱し、次にツールを取り外し、多孔質、気泡質又は繊維質要素を突起に接触させるのがよい。
一例を挙げると、突起の材料がポリプロピレン又はエチレンである場合、８０℃〜６００℃の温度、例えば４００℃よりも高い温度に上昇されたツールを用いるのがよい。
ツールを突起の材料がヒータツールにくっ付かないことを確保するに充分に高い温度まで加熱するのがよい。
【０００８】
本発明は又、別の特徴として、特に化粧品を塗布すると共に（或いは）包装する器具であって、支持体に取り付けられた多孔質、気泡質又は繊維質要素を有することを特徴とする器具を提供する。
本発明によれば、少なくとも支持体の突起の材料が上記要素の細孔、気泡又は繊維相互間に侵入することにより上記要素を支持体に結合するのがよい。
支持体の突起は、少なくとも要素と組み立てられる前においては、少なくとも一部が３角形、矩形、台形又は丸形の直断面を備えるのがよい。
一例を挙げると、支持体の突起は、円形、又は非円形、連続又は不連続の環状リブの形態をなしているのがよい。
【０００９】
支持体は、少なくとも２つの突起を有するのがよい。一例を挙げると、これら突起は同心であるのがよい。
要素を支持体の周囲に及び（又は）中央領域に取り付けるのがよい。
要素は、互いに対し角度をなし、例えば、直角をなした支持体の２つの部分を覆うのがよく、各部分は、少なくとも１つの突起を有する。
要素は、アプリケータ部材、スクリーン、フィルタ、アプリケータ先端部、ワイパ又はフローリデューサとして役立つよう構成されたものであるのがよいが、これらには限られない。
【００１０】
支持体は、受け器のクロージャ部材を構成するのがよく、支持体は少なくとも１つの密封リップを有するのがよい。
支持体は、取っ手部材として役立つよう構成されたものであってもよい。
器具は、物質を要素に供給するダクトを有するのがよく、物質は、使用前又は使用中にこの要素を通ることができる。
突起の材料は、突起が連結されている支持体の部分の材料とは異なるものであるのがよい。
【００１１】
本発明は、添付の図面を参照して行われる非限定的な実施形態の以下の詳細な説明を読むと一層よく理解できよう。
図１は、支持体に及びこれに取り付けられたアプリケータ部材３を有するアプリケータ器具１の一例を示している。
一例を挙げると、器具１は、受け器（図示せず）から取り出されたパウダ又は液体を塗布するのに役立つ。
支持体２は、全体として平らな頂部を備えたドームの形態をなしていて、ベース部分５に連結された壁４を有し、このベース部分５は、支持体２を受け器に取り付けることができるようにするスカート６及び受け器を閉じたときに受け器の支承面に漏れ止め状態で圧接する密封リップ７を備えている。
アプリケータ部材３は、壁４に取り付けられている。
図示の例では、アプリケータ部材は、気泡質要素、例えば、弾性変形可能なフォームで作られている。
【００１２】
支持体２へのアプリケータ部材３の取り付け具合を向上させるため、少なくとも１つの突起１０が先ず最初に支持体に設けられる。
アプリケータ部材３を支持体２に取り付ける前に、この突起１０は、一例を挙げると、３角形の直断面の環状リブの形態をなしており、その底辺は、図２及び図３で分かるように壁４に連結されている。突起１０を例えば成形により壁４と同種の材料で作るのがよいが、図９に示すように他の或る材料で作ってもよい。この図では、突起１０が壁４を構成する材料とは異なる材料で作ることが出来ることが分かる。
【００１３】
図１では、突起１０は、本発明を理解しやすくするためにアプリケータ部材３を支持体２に組み付ける前と実質的に同一のプロフィールを持つものとして示されているが、アプリケータ部材と組み立て後の突起１０の形状は、大幅に変わる場合があり、突起１０は、アプリケータ部材３をいったん支持体２に取り付けると、少なくとも一部が見えなくなる場合がある。
アプリケータ部材３と支持体２を組み付けるために、突起１０は、少なくとも一部が局部的に溶融してこれを構成する材料が流体のようになり、図４に非常に概略的に示されているように、これと接触状態にあるフォームの気泡の中に侵入することができるようになる。
【００１４】
突起は、要素が定位置に配置される前に比較的高い温度に加熱されたヒータツールによって溶融でき、次にツールを引っ込め、要素を流動状態になった突起に押し付ける。
突起１０の材料が例えばポリプロピレン又はポリエチレンである場合、ツールの表面温度は、例えば約４５０℃であるのがよく、したがって、ツールを引っ込めたときにプラスチック材料のフィラメントが形成されることがなく、これらフィラメントは要素が定位置に位置している間、厄介な場合がある。
突起１０は、要素への組み付け前においては、図５〜図１２を参照して以下に説明するように、多種多様な形状を持つことができる。
特に、突起には非対称の３角形直断面が与えられ、例えば、突起は、図５に示されるように支持体に実質的に垂直な一方の側部を備える。
【００１５】
突起１０は又、図６に示すように実質的に矩形、図７に示すように台形、図８に示すように丸い自由端部を備えた長円形である直断面を呈してもよい。
突起１０は、連続した円形リブではない形態のものであってもよい。
一例を挙げると、図１０は、複数の別々のセグメント１０ａを備えた不連続環状リブの形態をなした突起１０を示している。
一例を挙げると、支持体は又、２以上の突起、例えば、図１１及び図１２に示すような２つの同心状突起１０を有してもよい。
【００１６】
本発明は、多種多様な多孔質、繊維質又は気泡質要素を同様にそれ自体非常に多種多様な支持体に組み付けるのに適用できる。
とりわけ種々のアプリケータ器具が図１３〜図１６に示されている。
図１３に示す器具１５は、ヘッド１７を備えた取っ手１６を有し、このヘッド１７は、ヘッド１７のフェースのうち一方から片持ちされた繊維質又は気泡質材料のブロックによって構成され、上述した例と同一の方法で、少なくとも１つの突起１０の材料を局部的に溶解することにより取り付けられたアプリケータ部材１８の支持体として役立つ。
【００１７】
図１の例では、アプリケータ部材３は、拘束されていない周辺部分を備え、アプリケータ部材の中央部分は、実質的に壁４の頂部に取り付けられている。当然のことながら、アプリケータ部材をこれとは別に、例えば、図１４に示すようにその周囲の近くの１以上の箇所で支持体に取り付けてもよい。この図に示された器具２０は、例えばフォームのブロックで構成されたアプリケータ部材２１を有している。フォームのブロックは、フェース２１ａを有し、このフェース２１ａは、支持体２２の実質的に平らな対応関係にあるフェースに取り付けられ、この支持体２２も又、取っ手部材としての役目を果たし、この支持体からは少なくとも１つの突起１０が突き出ている。この突起は、例えばアプリケータ部材１１の最大直径よりも僅かに小さな直径を有する環状リブの形態をなしている。
図１５に示す器具２４は、アプリケータ部材２１の内部が中空になっているので図１３に示す器具とは異なっている。
【００１８】
図１及び図１３〜図１５の例では、アプリケータ部材には、これを出口フェースを介して物質に接触させることにより物質が装填される。
アプリケータ部材を受け器に固定し、これに例えば内側フェースを介して物質を供給することは本発明の範囲から逸脱しない。
例示として図１６は、アプリケータ部材２７を有する器具２６の一部を示しており、このアプリケータ部材は例えば、ハウジング２９内に取り付けられたフェルト先端部又は焼結先端部によって構成され、ハウジング２９は、その底部内へ開口していて、物質を供給するダクト２８を有している。
ハウジング２９の底部は、少なくともアプリケータ部材２７を取り付ける前に少なくとも１つの突起１０を備える。
【００１９】
突起１０は、例えば多孔質、繊維質又は気泡質要素を支持体に取り付けて図１７に示すように丸い壁３０を覆う目的で支持体の複数のフェースに設けるのがよい。この図は、支持体の壁が互いに直角をなす２つの部分３０ａ，３０ｂから成り、各部分には少なくとも１つの突起１０が形成されていることを示している。一例を挙げると、これら突起は、環状又は直線状リブ、或いは環状又は直線状リブの一部の形態をなしている。
多孔質、繊維質又は気泡質要素は又、スクリーン又はフィルタとしても使用できる。
一例を挙げると、図１８は、多孔質、繊維質又は気泡質要素が物質に対し透過性であり、周囲が例えば受け器のネックに取り付けられるリング４２に取り付けられた材料のシート１４によって構成された器具４０を示している。リング４２は、その端部に受け器にスナップ締結される環状ビードを備えると共に少なくともリング４２へのシート４１の組み付け前に突起１０が突き出た環状横方向壁４４を有し、この突起１０は例えば、スカート４３と同一方向に突き出た環状リブによって構成されている。
【００２０】
図１９は、支持体が一例として、全体としてドームの形をしており、中央開口部５２を備えた壁５１を有し、多孔質、気泡質又は繊維質要素が、物質に対して透過性であり、壁５１の外面に装着されたシート５４、例えば、不織布によって構成されている器具５０を示している。壁５１は、少なくとも１つの突起１０、図示の例では、例えば２つの同心状突起１０を有している。
図２０は、受け器の内部に配置されるスクリーン６０を示している。このスクリーン６０は、例えば矩形直断面の環状支持体６１を有し、この環状支持体６１は、例えば環状リブの形態をなした突起１０を備えた前側フェース６１ａを有し、多孔質、気泡質又は繊維質要素がこの支持体に取り付けられ、かかる要素は、例えば織布６２又はプラスチック材料の細目格子によって構成されている。
【００２１】
多孔質、繊維質又は気泡質要素は又、図２１に示すようにワイパ部材としても役立つ。
この図は、頂部フェースが受け器の内側肩７２に取り付けられたフォームのブロックにより構成されたワイパ部材７１を有する器具７０を示しており、この肩は、例えば環状リブの形態をなした少なくとも１つの突起１０を備えている。ワイパ部材７１を貫通してスロットが設けられており、このスロットは、休止状態では閉じられ、ワイパ部材を受け器から引き抜いている間にアプリケータ部材７５を拭い取るのに役立つ。フォームから成るワイパ部材を有する器具は、フランス国特許出願第２，７７４，２９６号明細書に記載されている。
【００２２】
多孔質、気泡質又は繊維質要素は又、フローリデューサ（flow reducer）としても役立つようにすることは本発明の範囲から逸脱しない。
一例を挙げると、図２２は、受け器８１を有する器具８０を示し、この受け器のネックは、受け器８１のネックに嵌め込まれた支持体８３に取り付けられた気泡質材料、例えばフォームのブロック８５を有している。支持体８３の頂部は、壁８４を有し、この壁は、少なくともブロック８５への組み付けに先立って、突起１０を備えている。ブロック８５にスロットを設けるのがよく、かかるスロットは、休止状態では閉じられる。
【００２３】
図２３は、多孔質、繊維質又は気泡質要素１００が支持体１０１に取り付けられている状態を示している。この図は、要素１００が既に突起と接触した状態で突起１０を加熱するのがよい。
図示の例では、突起は中空であり、ヒータツール９０を要素１００から見て反対側の側部に設けるのがよく、このヒータツールは、例えば支持体１０１の内部に嵌められる。一例を挙げると、ツール９０は、少なくとも一部が突起１０の内側に嵌まって突起の温度を上げるよう構成された部材９２を有するのがよい。部材９２と突起１０の接触は、任意である。
【００２４】
上述の種々の実施形態の特徴のうち幾つか又は全てを本発明の範囲から逸脱することなく組み合わせることができる。
本明細書全体を通じ、部材個数に関し、「〜を有する又は含む（comprises a ）」という用語は、特段の指定がなければ、「〜を少なくとも一つ有する又は含む（comprises at least of ）」という表現と同義であると解されるべきである。
【図面の簡単な説明】
【００２５】
【図１】本発明に従って構成された器具の実施形態の概略部分軸方向断面図である。
【図２】支持体の詳細を示す概略部分拡大正面図である。
【図３】図２のＩＩＩ−ＩＩＩ矢視断面図である。
【図４】支持体の材料が要素の構造中へ侵入している状態を示す図である。
【図５】変形例としての突起を示す断面図である。
【図６】変形例としての突起を示す断面図である。
【図７】変形例としての突起を示す断面図である。
【図８】変形例としての突起を示す断面図である。
【図９】変形例としての突起を示す断面図である。
【図１０】突起の別の例の平面図である。
【図１１】突起の別の例の平面図である。
【図１２】図１１のＸＩＩ−ＸＩＩ矢視断面図である。
【図１３】本発明に従って構成された器具の別の例の概略部分図である。
【図１４】本発明に従って構成された器具の別の例の概略部分図である。
【図１５】本発明に従って構成された器具の別の例の概略部分図である。
【図１６】本発明に従って構成された器具の別の例の概略部分図である。
【図１７】角度をなす支持体の壁を覆うように取り付けられた要素を示す図である。
【図１８】器具の別の例を示す略図である。
【図１９】器具の別の例を示す略図である。
【図２０】器具の別の例を示す略図である。
【図２１】器具の別の例を示す略図である。
【図２２】器具の別の例を示す略図である。
【図２３】フォームが支持体と接触した状態で加熱されている支持体を示す図である。
【国際公開パンフレット】
2005503905.tif 000003
2005503905.tif 000004
2005503905.tif 000005
2005503905.tif 000006
2005503905.tif 000007
2005503905.tif 000008
2005503905.tif 000009
2005503905.tif 000010
2005503905.tif 000011
2005503905.tif 000012
2005503905.tif 000013
2005503905.tif 000014
2005503905.tif 000015
2005503905.tif 000016
2005503905.tif 000017
2005503905.tif 000018
【国際調査報告】
2005503905.tif 000019
2005503905.tif 000020
2005503905.tif 000021
2005503905.tif 000022
2005503905.tif 000023
2005503905.tif 000024